(57)【要約】【課題】種々の光磁気記録媒体に対して好適なオフセット値を設定し、良好なトラッキングを行えるようにする。【解決手段】光磁気記録再生装置では、装填された光磁気ディスク１のトラックに対し、１つのメインビームのトラッキングのために２つのサブビームが照射され、これら両サブビームの差信号からオフセット値が得られ、このオフセット値に基づいてトラッキングを制御する。さらに、予め設定されているオフセット値とは異なる複数のオフセット値を作成するオフセット調整部９と、複数のオフセット値にて光磁気ディスク１に対するトラッキングが行われた結果から、各オフセット値のうちの最良のトラッキングが可能なオフセット値を光磁気ディスク１に対して使用するオフセット値として決定する制御装置８とを備える。【選択図】  図１
2004362678.tif 000002
【特許請求の範囲】
【請求項１】
装置に装填された光磁気記録媒体のトラックに対し、１つのメインビームのトラッキングのために２つのサブビームが照射され、これら両サブビームの差信号からオフセット値が得られ、このオフセット値に基づいて前記トラッキングを制御する光磁気記録再生装置のオフセット調整方法において、
予め設定されているオフセット値とは異なる複数のオフセット値を使用して前記光磁気記録媒体に対するトラッキングを行い、各オフセット値のうちの最良のトラッキングが可能なオフセット値を前記光磁気記録媒体に対して使用するオフセット値とすることを特徴とする光磁気記録再生装置のオフセット調整方法。
【請求項２】
装置に装填された光磁気記録媒体のトラックに対し、１つのメインビームのトラッキングのために２つのサブビームが照射され、これら両サブビームの差信号からオフセット値が得られ、このオフセット値に基づいて前記トラッキングを制御する光磁気記録再生装置のオフセット調整装置において、
予め設定されているオフセット値とは異なる複数のオフセット値を作成するオフセット値作成手段と、
前記複数のオフセット値にて光磁気記録媒体に対するトラッキングが行われた結果から、各オフセット値のうちの最良のトラッキングが可能なオフセット値を前記光磁気記録媒体に対して使用するオフセット値として決定するオフセット値決定手段とを備えていることを特徴とする光磁気記録再生装置のオフセット調整装置。
【請求項３】
前記光磁気記録再生装置には基準となる光磁気記録媒体に対するオフセット値である予備調整値が予め設定されており、前記オフセット値作成手段は前記予備調整値を変化させて、複数の前記オフセット値を作成することを特徴とする請求項２に記載の光磁気記録再生装置のオフセット調整装置。
【請求項４】
前記複数のオフセット値にて光磁気記録媒体に対するトラッキングが行われた結果から、前記オフセット値毎のトラッキングにおけるジッタを測定するジッタ測定手段をさらに備え、
前記オフセット値決定手段は、各ジッタの測定値を比較して前記光磁気記録媒体に対して使用するオフセット値を決定することを特徴とする請求項２に記載の光磁気記録再生装置のオフセット調整装置。
【請求項５】
光磁気記録媒体が光磁気記録再生装置に装填される毎に、前記オフセット値作成手段およびオフセット値決定手段によるオフセット値改定動作を行うことを特徴とする請求項２に記載の光磁気記録再生装置。
【発明の詳細な説明】
【０００１】
【発明の属する技術分野】
本発明は、光磁気記録媒体に対する記録または再生を行う光磁気記録再生装置のオフセット調整方法およびその装置に関するものである。
【０００２】
【従来の技術】
従来、光磁気ディスク記録再生装置では、光ピックアップより照射される１つのメインビームと２つのサブビームを使用して光磁気ディスクの記録再生が行われている。メインビームは光ピックアップからディスク内のトラックの中心を目標として照射され、２つのサブビームはトラックのエッジを目標として照射される。上記２つのサブビームによる光ピックアップの光検出器からの出力信号は、例えば特開平６−９６４６５号に記載されているように、トラッキングサーボに使用され、両サブビームの差信号からトラッキングエラー信号が生成される。
【０００３】
従来の光磁気ディスク記録再生装置では、両サブビームの差信号に基づいてオフセット調整が行われている。このオフセット調整は、トラッキングエラー信号を最良値に調整するもの、すなわちトラッキングエラー信号に基づいてトラッキングサーボを行った場合にメインビームがトラックの中心を走査するように、トラッキングエラー信号を調整するものである。
【０００４】
具体的には、光磁気ディスク記録再生装置では、種々の条件によりトラッキングエラー信号にオフセットが生じ、このオフセットにより正確なトラッキングサーボが困難となる。そこで、上記オフセットの影響を解消するために、オフセット調整を行ってオフセット値を決定し、このオフセット値を使用してトラッキングサーボを行っている。
【０００５】
上記のオフセット調整は、従来、光磁気ディスク記録再生装置の生産工場からの出荷前に生産工場にて、オフセット調整用の基準となるディスクを使用して行われている。このオフセット調整にて得られた初期調整値は、それ以降、光磁気ディスク記録再生装置のオフセット値として維持され、この初期調整値のみを使用して光磁気ディスクの記録再生が行われている。
【０００６】
【特許文献１】
特開平６−９６４６５号公報（公開日  平成６年４月８日）
【０００７】
【発明が解決しようとする課題】
しかしながら、現在の市場には、例えば記録時間が６０分、７４分あるいは８０分といった互いにトラック幅の異なる光磁気ディスクが存在している。したがって、予め設定されている１つのオフセット値（初期調整値）のみを使用する場合、光磁気ディスクの種類によっては、光ピックアップから出射するメインビームが光磁気ディスクにおけるトラックの中心を走査しないこともある。このため、安定した品質にてそれぞれの光磁気ディスクの記録再生ができない恐れがあるという問題点を有している。
【０００８】
したがって、本発明は、例えば互いにトラック幅が異なる種々の光磁気ディスクに対して、好適なオフセット値を設定して良好なトラッキングを行い、これにより安定した品質にて記録再生を行うことができる光磁気ディスク記録再生装置のオフセット調整方法およびその装置の提供を目的としている。
【０００９】
【課題を解決するための手段】
上記課題を解決するために、本発明の光磁気記録再生装置のオフセット調整方法は、装置に装填された光磁気記録媒体のトラックに対し、１つのメインビームのトラッキングのために２つのサブビームが照射され、これら両サブビームの差信号からオフセット値が得られ、このオフセット値に基づいて前記トラッキングを制御する光磁気記録再生装置のオフセット調整方法において、予め設定されているオフセット値とは異なる複数のオフセット値を使用して前記光磁気記録媒体に対するトラッキングを行い、各オフセット値のうちの最良のトラッキングが可能なオフセット値を前記光磁気記録媒体に対して使用するオフセット値とすることを特徴としている。
【００１０】
また、本発明の光磁気記録再生装置のオフセット調整装置は、装置に装填された光磁気記録媒体のトラックに対し、１つのメインビームのトラッキングのために２つのサブビームが照射され、これら両サブビームの差信号からオフセット値が得られ、このオフセット値に基づいて前記トラッキングを制御する光磁気記録再生装置のオフセット調整装置において、予め設定されているオフセット値とは異なる複数のオフセット値を作成するオフセット値作成手段と、前記複数のオフセット値にて光磁気記録媒体に対するトラッキングが行われた結果から、各オフセット値のうちの最良のトラッキングが可能なオフセット値を前記光磁気記録媒体に対して使用するオフセット値として決定するオフセット値決定手段とを備えていることを特徴としている。
【００１１】
上記の構成によれば、予め設定されているオフセット値と異なるオフセット値にてトラッキングを行った結果から、最良のトラッキングが可能なオフセット値をその光磁気記録媒体の記録再生に使用するオフセット値とする。したがって、例えば互いにトラック幅が異なる種々の光磁気記録媒体に対して、好適なオフセット値を設定して良好なトラッキングを行い、これにより安定した品質にて記録再生を行うことができる。
【００１２】
上記の光磁気記録再生装置のオフセット調整装置において、前記光磁気記録再生装置には基準となる光磁気記録媒体に対するオフセット値である予備調整値が予め設定されており、前記オフセット値作成手段は前記予備調整値を変化させて、複数の前記オフセット値を作成する構成としてもよい。
【００１３】
上記の構成によれば、工場からの出荷の前に、光磁気記録再生装置に基準となる光磁気記録媒体によるオフセット値である予備調整値が設定されており、この予備調整値が現在記録再生しようとする光磁気記録媒体に適合しないものであっても、この光磁気記録媒体に適合したオフセット値に前記予備調整値を改定することができる。
【００１４】
上記の光磁気記録再生装置のオフセット調整装置は、前記複数のオフセット値にて光磁気記録媒体に対するトラッキングが行われた結果から、前記オフセット値毎のトラッキングにおけるジッタを測定するジッタ測定手段をさらに備え、前記オフセット値決定手段が、各ジッタの測定値を比較して前記光磁気記録媒体に対して使用するオフセット値を決定する構成としてもよい。
【００１５】
上記の光磁気記録再生装置のオフセット調整装置は、光磁気記録媒体が光磁気記録再生装置に装填される毎に、前記オフセット値作成手段およびオフセット値決定手段によるオフセット値改定動作を行う構成としてもよい。
【００１６】
上記の構成によれば、光磁気記録媒体が光磁気記録再生装置に装填される毎にオフセット値改定動作が行われるので、常に、使用する光磁気記録媒体に適合したオフセット値を設定可能である。
【００１７】
【発明の実施の形態】
本発明の実施の一形態を図１から図３に基づいて以下に説明する。
図１は、本発明の実施の一形態における光磁気ディスク記録再生装置（光磁気記録再生装置）を示すブロック図、図２は、図１に示した光磁気ディスク記録再生装置の動作を説明するフローチャート、図３は、同光磁気ディスク記録再生装置におけるジッタ測定値シミュレーションの説明図である。
【００１８】
図１に示すように、光磁気ディスク記録再生装置は、スピンドルモータ２、モータドライバ３、光ピックアップ４、スライドメカニズム５、ＲＦアンプ６、サーボ回路７、制御装置（オフセット値決定手段）８、オフセット調整部（オフセット値作成手段）９、サーボ制御部１０およびジッタ測定部（ジッタ測定手段）１１を備えている。オフセット調整部９、サーボ制御部１０およびジッタ測定部１１はＬＳＩ１２に備えられている。
【００１９】
スピンドルモータ２は光磁気ディスク（光磁気記録媒体）１を回転させ、モータドライバ３はスピンドルモータ２を駆動する。
【００２０】
光ピックアップ４は従来周知の構成であり、光源として例えばレーザダイオードを有し、１つのメインビームと２つのサブビームを光磁気ディスク１へ照射する。さらに、これらビームについての光磁気ディスク１からの反射光を光検出器（光電変換器）にて検出し、電気信号に変換する。
【００２１】
スライドメカニズム５は、光ピックアップ４を光磁気ディスク１の半径方向へ移動させる。ＲＦアンプ６は、光ピックアップ４から出力される上記電気信号を増幅し、サーボ回路７およびＬＳＩ１２へ供給する。
【００２２】
サーボ回路７は、ＲＦアンプ６を介して入力される光ピックアップ４の出力信号に基づいて、フォーカスサーボ信号およびトラッキングサーボ信号をモータドライバ３を介して光ピックアップ４に供給する。光ピックアップ４では、これら信号に基づいてフォーカスシングおよびトラッキングを行う。
【００２３】
オフセット調整部９は、光磁気ディスク記録再生装置に予め設定されているオフセット値である予備調整値に対して、それを変更した複数のオフセット値を作成する。サーボ制御部１０は、設定されたオフセット値に基づいて、サーボ回路７を制御する。ジッタ測定部１１は、オフセット調整部９にて作成された複数のオフセット値毎のトラッキングにおけるジッタを測定する。
【００２４】
制御装置８は、マイクロコンピュータからなり、ジッタ値比較部１３およびオフセット値決定部１４を備えている。ジッタ値比較部１３は、複数のオフセット値毎のジッタ値を比較する。オフセット値決定部１４は、ジッタ値比較部１３の比較結果に基づいて光磁気ディスク１において使用するオフセット値を決定る。
【００２５】
上記の構成において、光磁気ディスク記録再生装置では、工場からの出荷前に予備オフセット調整が行われ、予備調整値が設定される。この予備オフセット調整では基準となる光磁気ディスクを使用する。
【００２６】
予備オフセット調整では、基準光磁気ディスクに対して、光ピックアップ４から基準光磁気ディスクのトラックの中心を走査することを目標としたメインビーム、およびトラックのエッジを走査することを目標とした２つのサブビームが照射され、基準光磁気ディスクにて反射された２つのサブビームの差信号、すなわちオフセット信号が予備調整値として設定される。
【００２７】
具体的には、光ピックアップ４において、基準光磁気ディスクから反射された２つのサブビームを電気信号に変換し、これら２つの電気信号の差信号を得る。この差信号は、光ピックアップ４からＲＦアンプ６へ出力され、ＲＦアンプ６にて増幅された後、サーボ回路７およびＬＳＩ１２へ出力される。上記差信号は、さらにＬＳＩ１２を介して制御装置８に入力され、制御装置８のオフセット値決定部１４にて、予備調整値として設定される。
【００２８】
光磁気ディスク記録再生装置では、生産工場からの出荷後において、記録あるいは再生のために光磁気ディスク１が装填された場合に、オフセット値の改定処理を行う。以下にこの処理について図２および図３により説明する。
【００２９】
生産工場からの出荷後の光磁気ディスク記録再生装置は、上記のように、オフセット値としての予備調整値が設定済みである（Ｓ１）。
【００３０】
この状態において、記録あるいは再生のために光磁気ディスク１が装填されると、光磁気ディスク記録再生装置ではオフセット値の改定処理を行う。この処理では、装填された光磁気ディスク１に対して、まず予備調整値（オフセット値）を使用して、光ピックアップ４から光磁気ディスク１のトラックの中心を走査することを目標としたメインビーム、およびトラックのエッジを走査することを目標とした２つのサブビームを照射し、光磁気ディスク１にて反射された２つのサブビームの差信号、すなわちオフセット値を得る。このオフセット値は、ＲＦアンプ６にて増幅された後、サーボ回路７およびＬＳＩ１２へ出力される。
【００３１】
ＬＳＩ１２のジッタ測定部１１では、上記オフセット値についてジッタ値を測定し、制御装置８のジッタ値比較部１３へ出力する（Ｓ２）。
【００３２】
上記のジッタ値は光磁気ディスク１の再生信号（アイパターン信号）における周波数の変化量（揺らぎ量）のことであり、本実施の形態においては、ＬＳＩ１２内部のクロック周波数と光磁気ディスク１の再生信号の周波数との差をジッタ測定部１１で計算（換算）した値をジッタ値としている。
【００３３】
このジッタ値の測定は、光磁気ディスク１のｎ個のポイントについて行う。すなわち、ＬＳＩ１２のオフセット調整部９にてオフセット値を微調整しながら（オフセット値を徐々に変化させながら）（Ｓ４）、変化させたオフセット値を使用して合計ｎ回のジッタ測定を行う（Ｓ３）。この場合のトラッキングサーボでは、変化させたオフセット値に基づき、サーボ制御部１０によりサーボ回路７が制御され、このサーボ回路７によりモータドライバ３を介して光ピックアップ４における対物レンズのアクチュエータが制御される。
【００３４】
上記のように予備調整値を変化させたオフセット値としては、例えば、２つのサブビームに基づく出力信号に対し、一方の出力信号には＋１ｍｍＶを加え、他方の出力信号には−１ｍｍＶを加えることにより得られる値とする。なお、変化させたオフセット値としては、上記のように２つのサブビームの出力信号を±１ｍｍＶずつ変化させたものに限らず、２つのサブビームに基づく出力信号のうちの一方のみを変化させることにより得られる値であってもよい。さらに、オフセット値を変化させる範囲は、上記の範囲に限らず、光磁気ディスク記録再生装置において許容される変化範囲内において適宜設定すればよい。
【００３５】
また、上記ｎ個のポイントは、オフセット値を例えば±１ｍｍＶ変化させたときのポイントを１つのポイントとする場合、１０個のポイントは、予備調整値をさらに±１ｍｍＶずつ変化させていき、±１０ｍｍＶまで変化させたときの各ポイントである。
【００３６】
制御装置８のジッタ値比較部１３では、ＬＳＩ１２のジッタ測定部１１から出力された各ポイントのジッタ値同士を比較する。さらに、オフセット値決定部１４では、ジッタ値比較部１３での比較結果から、ジッタ値が最良となるポイントすなわちオフセット値を求め（Ｓ５）、そのオフセット値を光磁気ディスク１に対して使用するオフセット値として決定し、ＬＳＩ１２のサーボ制御部１０に与える（Ｓ６）。なお、ジッタ値が最良となるオフセット値とは、ジッタ値が最も小さいオフセット値である。
【００３７】
上記の処理をジッタ測定値のシミュレーション図にて示したのが図３である。同図に示すように、光磁気ディスク記録再生装置では、装填された光磁気ディスク１について各測定ポイントのジッタ測定値を求め、その測定されたジッタ値同士を比較し、ジッタ値が最良となるポイントのオフセット値を光磁気ディスク１に対して使用するオフセット値として決定する。
【００３８】
その後、光磁気ディスク記録再生装置では、上記のオフセット値を使用して光磁気ディスク１に対する記録再生を行う（Ｓ７）。この場合、サーボ制御部１０では、上記のオフセット値を使用してトラッキングサーボが行われるように、サーボ回路７を制御する。
【００３９】
具体的には、予備調整値を有する光磁気ディスク記録再生装置において、光磁気ディスク１を装填した場合に、上記予備調整値よりもジッタ値がより良くなる最良のオフセット調整値（オフセット値）がＳ５においてえら得た場合、Ｓ６においてその最良のオフセット調整値（オフセット値）を光磁気ディスク１の記録再生時のオフセット調整値として改定し、Ｓ７において光磁気ディスク１の記録再生を行う。
【００４０】
上述したオフセット値の改定処理は、例えば、光磁気ディスク１が光磁気ディスク記録再生装置に装填される毎に行われる。さらには、光磁気ディスク記録再生装置の電源がＯＦＦからＯＮにされる毎に、光磁気ディスク１の装填の有無を調べ、光磁気ディスク１が装填されている場合には、その光磁気ディスク１についてオフセット値の改定処理が行われる。
【００４１】
上述したオフセット値の改定処理を行うことにより、光磁気ディスク記録再生装置では、光ピックアップ４から光磁気ディスク１のトラックに照射されるメインビームが、異なる種類の光磁気ディスク１においても、適切にトラックの中心部分を走査することになる。これにより、安定した性能、品質での光磁気ディスクの記録再生が可能となる。
【００４２】
以上のように、本発明の光磁気ディスク記録再生装置のオフセット調整装置は、光磁気ディスク記録再生装置の光磁気ピックアップでディスク内のトラックの中心を目標として照射するメインビームと、トラックのエッジを目標として照射する２つのサブビームがあり、この２つのサブビームの差信号、すなわちオフセット信号が予め予備調整値として設定されているものであって、装置内に装填された光磁気ディスクに対し、前記オフセットの予備調整値と異なるオフセット値にてジッタを測定し、前記予備調整値よりもさらに良いジッタ値となるオフセット量に改定することを特徴とする。
【００４３】
上記の構成によれば、記録再生する光磁気ディスクごとに予め予備調整されたオフセット値と異なるオフセット値にてジッタを数回測定する。その数回測定したジッタ値が最良となるオフセット値を光磁気ディスク記録再生装置に装填された光磁気ディスクのオフセット値として改定することによりそれぞれの光磁気ディスクでの安定した性能、品質で記録再生ができる。
【００４４】
上記のように、本装置では、予め予備調整されているオフセット値と異なるオフセット値でジッタを測定し、この測定を数回繰り返すことにより最良のジッタとなるオフセット値を決定し、その時のオフセット値を記録再生するそれぞれの光磁気ディスクに使用するオフセット値として改定する。
【００４５】
【発明の効果】
以上のように、本発明の光磁気記録再生装置のオフセット調整方法は、装置に装填された光磁気記録媒体のトラックに対し、１つのメインビームのトラッキングのために２つのサブビームが照射され、これら両サブビームの差信号からオフセット値が得られ、このオフセット値に基づいて前記トラッキングを制御する光磁気記録再生装置のオフセット調整方法において、予め設定されているオフセット値とは異なる複数のオフセット値を使用して前記光磁気記録媒体に対するトラッキングを行い、各オフセット値のうちの最良のトラッキングが可能なオフセット値を前記光磁気記録媒体に対して使用するオフセット値とする構成である。
【００４６】
また、本発明の光磁気記録再生装置のオフセット調整装置は、装置に装填された光磁気記録媒体のトラックに対し、１つのメインビームのトラッキングのために２つのサブビームが照射され、これら両サブビームの差信号からオフセット値が得られ、このオフセット値に基づいて前記トラッキングを制御する光磁気記録再生装置のオフセット調整装置において、予め設定されているオフセット値とは異なる複数のオフセット値を作成するオフセット値作成手段と、前記複数のオフセット値にて光磁気記録媒体に対するトラッキングが行われた結果から、各オフセット値のうちの最良のトラッキングが可能なオフセット値を前記光磁気記録媒体に対して使用するオフセット値として決定するオフセット値決定手段とを備えている構成である。
【００４７】
これにより、例えば互いにトラック幅が異なる種々の光磁気記録媒体に対して、好適なオフセット値を設定して良好なトラッキングを行い、安定した品質にて記録再生を行うことができる。
【図面の簡単な説明】
【図１】本発明の実施の一形態のおける光磁気ディスク記録再生装置を示すブロック図である。
【図２】図１に示した光磁気ディスク記録再生装置におけるオフセット値の改定動作を示すフローチャートである。
【図３】図２に示したオフセット値の改定動作における各測定ジッタ値から改定オフセット値を決定するためのシミュレーション図である。
【符号の説明】
１    光磁気ディスク（光磁気記録媒体）
４    光ピックアップ
７    サーボ回路
８    制御装置（オフセット値決定手段）
９    オフセット調整部（オフセット値作成手段）
１０    サーボ制御部
１１    ジッタ測定部（ジッタ測定手段）
１２    ＬＳＩ
１３    ジッタ値比較部（オフセット値決定手段）
１４    オフセット値決定部（オフセット値決定手段）
【図１】
2004362678.tif 000003
【図２】
2004362678.tif 000004
【図３】
2004362678.tif 000005